(57)【要約】【課題】貝類の卵や浮遊幼生を捕獲して棲息環境に近い条件及び状態で低コストに育成でき、且つ養殖中の貝類が逃げ出したり、海面または水面の波により流出したりするのを防止できる貝類の養殖装置を提供する。【解決手段】貝類の養殖装置１は、海底または水底の近傍に張設される育成網部２と、一端側が育成網部に連設され、この育成網部上を覆うように重ねられる捕獲・保護網部３と、捕獲・保護網部の他端側を上下動自在に支持する第１の支持部材４と、捕獲・保護網部の他端側に装着され、海面または水面の上下動に応じて捕獲・保護網部の他端側を上下動させる浮力体６とを具備し、育成網部と捕獲・保護網部に青海苔を付着させ、貝類の産卵期に捕獲・保護網部の他端側を上下動させて卵または浮遊幼生を捕獲し、捕獲後に捕獲・保護網部と育成網部との間に卵または浮遊幼生を挟んで育成することを特徴とする。【選択図】図１
2013158318.tif 000002
【特許請求の範囲】
【請求項１】
海底または水底の近傍に張設される育成網部と、一端側が前記育成網部に連設され、この育成網部上を覆うように重ねられる捕獲・保護網部と、前記捕獲・保護網部の他端側を上下動自在に支持する第１の支持部材と、前記捕獲・保護網部の他端側に装着され、海面または水面の上下動に応じて前記捕獲・保護網部の他端側を上下動させる浮力体とを具備し、
前記育成網部と前記捕獲・保護網部に青海苔を付着させ、貝類の産卵期に前記捕獲・保護網部の他端側を上下動させて卵または浮遊幼生を捕獲し、捕獲後に前記捕獲・保護網部と前記育成網部との間に卵または浮遊幼生を挟んで育成することを特徴とする貝類の養殖装置。
【請求項２】
前記育成網部及び前記捕獲・保護網部は、複数の網を連結して一体化した網材からなり、網材を折り返して一方を前記育成網部、他方を前記捕獲・保護網部に用いることを特徴とする、請求項１に記載の貝類の養殖装置。
【請求項３】
前記育成網部及び前記捕獲・保護網部は、重ねた複数の網材からなり、この重ねた複数の網材を折り返して一方を前記育成網部、他方を前記捕獲・保護網部に用いることを特徴とする、請求項１に記載の貝類の養殖装置。
【請求項４】
前記第１の支持部材は、海底または水底に所定の間隔で立設された複数の第１の支持棒と、前記捕獲・保護網部の他端側に装着され、前記第１の支持棒がそれぞれ挿入される複数の第１の環状部材と、前記複数の第１の支持棒を所定の角度でそれぞれ支える張り綱とを備え、前記複数の第１の支持棒はそれぞれ、海面または水面が上下動したときに、前記捕獲・保護網部の一端側からの距離が実質的に等しくなるように捕獲・保護網部の一端側に傾斜していることを特徴とする、請求項１乃至３のいずれか１項に記載の貝類の養殖装置。
【請求項５】
前記浮力体は、潮の満ち干に応じて上下動し、潮が引いたときに前記捕獲・保護網部を前記育成網部上を覆うように重ね、潮が満ちたときに前記捕獲・保護網部の他端側を前記育成網部から離すことを特徴とする、請求項１乃至４のいずれか１項に記載の貝類の養殖装置。
【請求項６】
前記育成網部の他端と前記捕獲・保護網部の中間点とを支持する第２の支持部材を更に具備し、前記第２の支持部材は、海底または水底に所定の間隔で立設された複数の第２の支持棒と、前記捕獲・保護網部の中間点に装着され、前記第２の支持棒がそれぞれ挿入される複数の第２の環状部材とを備えることを特徴とする、請求項１乃至５のいずれか１項に記載の貝類の養殖装置。
【請求項７】
前記育成網部の少なくとも両側面に配置される囲い網部を更に備えることを特徴とする、請求項１乃至６のいずれか１項に記載の貝類の養殖装置。
【発明の詳細な説明】
【技術分野】
【０００１】
本発明は、アサリなどの貝類の卵や浮遊幼生を捕獲して育成するための、貝類の養殖装置に関するものである。
【背景技術】
【０００２】
近年、アサリなどの天然の貝類の資源量が減少しており、水産現場で問題になっている。この減少の理由は、漁場環境を含めた幾つもの要因が絡み合っていると言われている。そのため、対象種を人為的な管理下に置き、計画的に効率良く高品質の貝類を育成する養殖技術の開発が行われている。
【０００３】
二枚貝の養殖は、対象種によって異なる様々な方式で行われている。例えば、生産量の多いホタテガイやマガキは、天然採苗（産卵期に海に漂っている天然の幼生を採取する）で付着稚貝を確保し、環境変動や食害に弱い稚貝期は人間が保護しつつ育成（中間育成）する。そして、ある程度まで成長したら、地まき（ホタテガイ）や垂下（マガキ）などを行い、漁獲サイズにまで育成する（成貝育成）。
【０００４】
これに対し、アサリなど多くの二枚貝では、自然に産卵、着底、成長した成貝を漁獲するか、あるいは天然の稚貝または幼貝を採り、浅瀬に適度にまいて成貝まで育成する手法が主流である。しかし、ホタテガイやマガキに比べて生育の確率が低く、効率的な方法とはいえない。
【０００５】
そこで、アサリなどの貝類を効率的に育成するために様々な養殖方法や養殖装置が提案されている。例えば、特許文献１には、アサリが養殖されている砂の海底に網を敷きつめ、水鳥が網目を通してアサリの稚貝をくわえられないようにすることで、アサリを水鳥から守って生存率を高め、収穫を増大させる「アサリ養殖用網」が開示されている。
【０００６】
また、特許文献２には、海底から一定の高さに浮遊し、周囲を網枠で囲んだ網囲い内でエビ、カニなどの甲殻類、貝類、一部魚類などの底棲生物を養殖する「水中底棲生物養殖法並にその装置」が開示されている。
【０００７】
更に、特許文献３には、砂を入れた容器に貝を入れて網で覆い、筏に吊るして海水面付近で養殖する「アサリ及びハマグリ等の潜砂性二枚貝の養殖方法」が開示されている。
【先行技術文献】
【特許文献】
【０００８】
【特許文献１】特開平１０−２７６６０６号公報
【特許文献２】特開昭５９−６６８２４号公報
【特許文献３】特開２００８−１１３６４９号公報
【発明の概要】
【発明が解決しようとする課題】
【０００９】
しかしながら、上述した特許文献１乃至３に記載されている技術は、それぞれ優れた一面を有しているものの、他の側面から見ると幾つかの課題を有している。
【００１０】
例えば、特許文献１の技術では、アサリを水鳥から守ることができるが、網でアサリの行動や移動を拘束したり阻止したりすることになり、自然な成長を阻害する要因となる虞がある。また、成長状態や個体差によってサイズが異なる稚貝を育成するのが難しい。すなわち、浅瀬の砂の上に網を敷き詰めるので、網目が粗いと水鳥が網目を通して稚貝を食べてしまったり、小さな稚貝が海流や波で流出、あるいは逃げ出したりしやすくなる。これに対し、網目が細かいとアサリの行動や移動を妨げ、自然な状態で育成できないことになる。
【００１１】
一方、特許文献２の技術では、甲殻類、貝類、一部魚類などの底棲生物を自然な棲息環境で育成できるものの、養殖場の周囲を網枠で囲むには大きな面積の網が必要となり、保守や管理も広範囲に渡るためコストが高くなる。
【００１２】
更に、特許文献３に記載されているように、砂を入れた容器に貝類を入れて網で覆い、筏に吊る方法は、コストと手間がかかり、経済的に優れた方法とはいえない。また、本来、アサリやハマグリは砂浜や干潟に棲息する生物であるため、養殖には水質（水温、塩分、溶存酸素、他）、底質（粒度、泥分、硬度、有機汚濁程度、他）、地盤高（干出時間）、波や流れ、餌なども配慮する必要があり、沖に人工的に作った環境では成長速度や活力に差が生じることがある。
【００１３】
しかも、育成に好適な条件や生存可能範囲などは様々な条件によって変化し、例えば、貝の成長とともに塩分耐性や貧酸素耐性なども変化する。このため、人工的に作った環境をアサリやハマグリの育成に好適な条件にするのが難しいという課題がある。
【００１４】
本発明は、上記のような事情に鑑みてなされたもので、その目的とするところは、貝類の卵や浮遊幼生を捕獲して棲息環境に近い条件及び状態で低コストに育成でき、且つ養殖中の貝類が逃げ出したり、海面または水面の波により流出したりするのを防止できる貝類の養殖装置を提供することにある。
【課題を解決するための手段】
【００１５】
本発明に係る貝類の養殖装置においては、海底または水底の近傍に張設される育成網部と、一端側が前記育成網部に連設され、この育成網部上を覆うように重ねられる捕獲・保護網部と、前記捕獲・保護網部の他端側を上下動自在に支持する第１の支持部材と、前記捕獲・保護網部の他端側に装着され、海面または水面の上下動に応じて前記捕獲・保護網部の他端側を上下動させる浮力体とを具備し、前記育成網部と前記捕獲・保護網部に青海苔を付着させ、貝類の産卵期に前記捕獲・保護網部の他端側を上下動させて卵または浮遊幼生を捕獲し、捕獲後に前記捕獲・保護網部と前記育成網部との間に卵または浮遊幼生を挟んで育成することで、上述した課題を解決した。
【００１６】
また、前記育成網部及び前記捕獲・保護網部は、複数の網を連結して一体化した網材からなり、網材を折り返して一方を前記育成網部、他方を前記捕獲・保護網部に用いることで、上述した課題を解決した。
【００１７】
加えて、前記育成網部及び前記捕獲・保護網部は、重ねた複数の網材からなり、この重ねた複数の網材を折り返して一方を前記育成網部、他方を前記捕獲・保護網部に用いることで、上述した課題を解決した。
【００１８】
更に、前記第１の支持部材は、海底または水底に所定の間隔で立設された複数の第１の支持棒と、前記捕獲・保護網部の他端側に装着され、前記第１の支持棒がそれぞれ挿入される複数の第１の環状部材と、前記複数の第１の支持棒を所定の角度でそれぞれ支える張り綱とを備え、前記複数の第１の支持棒はそれぞれ、海面または水面が上下動したときに、前記捕獲・保護網部の一端側からの距離が実質的に等しくなるように捕獲・保護網部の一端側に傾斜していることで、上述した課題を解決した。
【００１９】
この他、前記浮力体は、潮の満ち干に応じて上下動し、潮が引いたときに前記捕獲・保護網部を前記育成網部上を覆うように重ね、潮が満ちたときに前記捕獲・保護網部の他端側を前記育成網部から離すことで、上述した課題を解決した。
【００２０】
また、前記育成網部の他端と前記捕獲・保護網部の中間点とを支持する第２の支持部材を更に具備し、前記第２の支持部材は、海底または水底に所定の間隔で立設された複数の第２の支持棒と、前記捕獲・保護網部の中間点に装着され、前記第２の支持棒がそれぞれ挿入される複数の第２の環状部材とを備えることで、上述した課題を解決した。
【００２１】
加えて、前記育成網部の少なくとも両側面に配置される囲い網部を更に備えることで、上述した課題を解決した。
【発明の効果】
【００２２】
本発明に係る貝類の養殖装置によれば、貝類の産卵期に、浮力体により海面または水面の上下動に応じて捕獲・保護網部の他端側を上下動させて浮遊する卵や幼生を捕獲し、捕獲後は育成網部上を捕獲・保護網部で覆うように重ねて固定することで、波で貝類が流されるのを防止しつつ貝類を育成することができる。更に、育成網部と捕獲・保護網部に青海苔を付着させることで、目の粗い網であっても稚貝が逃げたり流されたりし難くでき、この青海苔の葉体に付着する珪藻類を餌にすることで、稚貝が逃げ難く且つ成長を促進することもできる。
【００２３】
また、複数の網を連結して一体化した網材を折り返して一方を育成網部、他方を捕獲・保護網部に用いることで、漁網などの市販の規格品を流用することができ、且つ網材の構造を簡単化して低コスト化できる。
【００２４】
加えて、育成網部及び捕獲・保護網部を、重ねた複数の網材で構成し、この重ねた複数の網材を折り返して一方を育成網部、他方を捕獲・保護網部に用いることで、目の粗い漁網などの市販の規格品を流用することができ、且つ網材の構造を簡単化して低コスト化できる。
【００２５】
更に、第１の支持部材を、海底または水底に所定の間隔で立設された複数の第１の支持棒と、前記捕獲・保護網部の他端側に装着され、前記第１の支持棒がそれぞれ挿入される複数の第１の環状部材と、前記複数の第１の支持棒を所定の角度でそれぞれ支える張り綱とで構成し、第１の支持棒を捕獲・保護網部の一端側に傾斜させることで、捕獲・保護網部の他端側の上下動時にこの捕獲・保護網部の張力がほぼ等しくなり、捕獲・保護網部の弛みや張りすぎによる変形を抑制できる。
【００２６】
更にまた、浮力体は、潮の満ち干に応じて上下動し、潮が満ちるときに捕獲・保護網部の他端側を育成網部から離すことで、卵や浮遊幼生を効率良く捕獲することができ、潮が引くときに育成網部上を捕獲・保護網部で覆うように重ねて、捕獲した卵や浮遊幼生が波で流されるのを防止できる。
【００２７】
加えて、第２の支持部材で育成網部の他端側と捕獲・保護網部の中間点とを支持することで、養殖装置の強度を向上できる。
【００２８】
更に、囲い網部を育成網部の少なくとも両側面に設けることによって、アサリなどの貝類の卵や浮遊幼生の捕獲を確実にできる。また、育成網部の外側へのアサリの移動を阻止できる。
【図面の簡単な説明】
【００２９】
【図１】本発明の実施の形態に係る貝類の養殖装置を示すもので、潮が満ちた状態を示す斜視図である。
【図２】図１の側面図である。
【図３】本発明の実施の形態に係る貝類の養殖装置を示すもので、潮が引いた状態を示す斜視図である。
【図４】図３の側面図である。
【図５】図１乃至図４に示した貝類の養殖装置における網材の構成例を示すもので、（ａ）図は網目が細かい帯状の二枚の網を連結して用いる場合の斜視図、（ｂ）図は網目が粗い帯状の二枚の網を重ねて用いる場合の斜視図である。
【図６】図１乃至図４に示した貝類の養殖装置における網材の拡大図を示すもので、（ａ）図は貝殻糸状体を網材の網紐に付けた状態を示す図、（ｂ）図は（ａ）図の貝殻糸状体を育成して青海苔にした状態を示す図である。
【図７】本発明の実施の形態に係る貝類の養殖装置の変形例を示すもので、潮が満ちた状態を示す斜視図である。
【図８】図７の側面図である。
【図９】本発明の実施の形態に係る貝類の養殖装置の変形例を示すもので、潮が引いた状態を示す斜視図である。
【図１０】図９の側面図である。
【図１１】本発明の実施の形態に係る貝類の養殖装置の他の変形例を示すもので、潮が満ちた状態を示す斜視図である。
【図１２】図１１の側面図である。
【図１３】本発明の実施の形態に係る貝類の養殖装置の他の変形例を示すもので、潮が引いた状態を示す斜視図である。
【図１４】図１３の側面図である。
【図１５】本発明の実施の形態に係る貝類の養殖装置の別の変形例を示すもので、潮が満ちた状態を示す斜視図である。
【図１６】図１５の育成網部近傍の拡大斜視図である。
【図１７】図１６の育成網部近傍の囲い網部を抽出して示す斜視図である。
【図１８】図１乃至図４に示した貝類の養殖装置を複数設置する際の好適な配置例を示す斜視図である。
【発明を実施するための形態】
【００３０】
以下に、本発明を実施するための形態を、図面を参照して説明する。
【００３１】
図１乃至図４はそれぞれ、本発明の実施の形態に係る貝類の養殖装置を示すもので、図１は潮が満ちた状態を示す斜視図、図２は図１の側面図、図３は潮が引いた状態を示す斜視図、図４は図３の側面図である。この養殖装置１は、育成網部２、捕獲・保護網部３、第１、第２の支持部材４、５、浮力体６及び固定部材７などを備えており、砂浜や干潟、浅瀬などに設置される。
【００３２】
上記育成網部２は、海底（または水底）２０の近傍に、当該海底２０から離隔し且つ対向して張設されている。この育成網部２は、例えば、海底２０から１０ｃｍ程度離れて上記第２の支持部材５と固定部材７で張設されている。上記捕獲・保護網部３は一端側が、上記育成網部２に連設され、他端側が第１の支持部材４により上下動自在に支持されている。
【００３３】
本例では、上記育成網部２と上記捕獲・保護網部３とを帯状の三枚の網（漁網など）８−１，８−２，８−３を連結して一体化した網材８で形成しており、この網材８を折り返して一方を上記育成網部２、他方を上記捕獲・保護網部３に用いている。そして、網材８の折り返し部が陸側、あるいは海流の下流側になるように設置される。
【００３４】
また、上記浮力体６は捕獲・保護網部３の他端側に設けられ、潮の満ち干などによる海面（または水面）２１の上下動に応じて上記捕獲・保護網部３の他端側を上下動させるようになっている。
【００３５】
図６（ｂ）に示すように、上記育成網部２の網紐２ａには、青海苔９ｂを絡ませて付着させており、上記捕獲・保護網部３上にも同様に青海苔を絡ませて付着させている。これによって、捕獲したアサリなどの貝類の卵や浮遊幼生、あるいは稚貝１０は、育成網部２と捕獲・保護網部３とで挟まれた状態で、着底までの期間育成されることになる。
【００３６】
上記第１の支持部材４は、海底２０に立設された複数の支持棒（あるいは竹竿）１１−１，１１−２，１１−３，…と、上記捕獲・保護網部３の他端に装着され、これら支持棒１１−１，１１−２，１１−３，…がそれぞれ挿入された環状部材１２−１，１２−２，１２−３，…と、上記支持棒１１−１，１１−２，１１−３，…を支える張り綱１３−１ａ，１３−２ａ，１３−３ａ，…と、上記支持棒１１−１，１１−２，１１−３，…の上端を上記張り綱１３−１ａ，１３−２ａ，１３−３ａ，…で固定するための杭１３−１ｂ，１３−２ｂ，１３−３ｂ，…とを備えている。
【００３７】
そして、上記支持棒１１−１，１１−２，１１−３，…はそれぞれ、潮の満ち干などで海面２１が上下動したときに、上記捕獲・保護網部３の一端側からの距離が実質的に等しくなるように捕獲・保護網部３の一端側に向かって傾斜している。これによって、上記捕獲・保護網部３の他端側の上下動時に捕獲・保護網部３に掛かる張力がほぼ等しくなる。
【００３８】
また、上記第２の支持部材５は、上記育成網部２の他端と上記捕獲・保護網部３の中間点とを支持する。この第２の支持部材５は、海底２０に立設された複数の支持棒１４−１，１４−２，１４−３，…と、上記捕獲・保護網部３の中間点に装着され、これら支持棒１４−１，１４−２，１４−３，…がそれぞれ挿入される環状部材１５−１，１５−２，１５−３，…とを備える。
【００３９】
上記固定部材７は、本例では所定の間隔で海底２０に打ち込まれた杭１６−１，１６−２，１６−３，…で構成されており、これらの杭１６−１，１６−２，１６−３，…と上記支持棒１４−１，１４−２，１４−３，…とにより、育成網部２が海底（または水底）２０の近傍に、この海底２０から離隔し且つ対向して張設される。
【００４０】
更に、上記浮力体６は、上記捕獲・保護網部３の他端側に所定の間隔で設置された複数のフロート１７−１，１７−２，１７−３，…で構成されている。これらのフロート１７−１，１７−２，１７−３，…は、潮の満ち干などの海面２１の上下動に応じて上下し、潮が引いたときに上記捕獲・保護網部３を上記育成網部２上に重ね（図３及び図４参照）、潮が満ちたときに上記捕獲・保護網部３の他端側を上記育成網部２から離す（図１及び図２参照）。
【００４１】
図５は、図１乃至図４に示した貝類の養殖装置における網材８の構成例を示している。（ａ）図は、網目が細かい帯状の二枚の網８−１ａ，８−２ａの一辺を連結して一体化した網材８ａで形成する例である。一方、（ｂ）図は、網目が粗い（例えば、網の目のサイズ１５ｃｍ）帯状の二枚の網８−１ｂ，８−２ｂの一辺を連結して一体化した網材８ｂと、網目が粗い（例えば、網の目のサイズ１５ｃｍ）帯状の二枚の網８−１ｃ，８−２ｃの一辺を連結して一体化した網材８ｃとを重ねて形成する例である。
【００４２】
このように、網を連結したり重ねたりして網材８を構成し、この網材８を折り返して一方を上記育成網部２、他方を上記捕獲・保護網部３に用いることで、漁網などの市販の規格品を流用することができ、且つ網材８の構造を簡単化して低コスト化できる。勿論、育成網部２と捕獲・保護網部３を一つの網材で形成することもでき、一つの網材を複数枚重ねて形成することもできる。
【００４３】
図６は、上記図１乃至図４に示した貝類の養殖装置における網材の拡大図を示すもので、（ａ）図は貝殻糸状体９ａを網材（例えば、海苔網）８の網紐２ａに付けた状態を示す図、（ｂ）図は（ａ）図の貝殻糸状体９ａを育成して青海苔９ｂにした状態を示す図である。上記図５のように形成した網材８に、図６（ａ）に示すように貝殻糸状体９ａを付けて種網を作り、この貝殻糸状体９ａを育成して、図６（ｂ）に示すように青海苔９ｂにし、網紐２ａに絡ませることにより網の目を塞ぎ、この青海苔９ｂの上で貝類の卵や浮遊幼生、あるいは稚貝１０を着底するまでの期間育成する。
【００４４】
上記青海苔９ｂで網材８の網の目を塞ぐには、例えば、次のようにする。まず貝殻糸状体９ａの培養を行う。培養には、例えば、カキの貝殻に糸状体を植えつける、青海苔の葉状体から果胞子をカキ殻に巻き付ける。あるいは、予め果胞子から作っておいたフリー糸状体を使って糸状体を直接カキ殻に植え付けることもできる。春に植えつけてから夏まで、海水に浸した貝殻の中で糸状体がゆっくり延びていき、秋に近くなると糸状体に殼胞子（２番目の種）ができる。
【００４５】
この種を網材（海苔網）８に付ける（採苗）。採苗には海面に網をはってその下にカキ殻糸状体を付けて種を付ける野外採苗と、陸上に作った水槽にカキ殻糸状体を入れ、その上の水車のような枠に網を張り回転させて種をつける陸上採苗の二つの方法がある。
【００４６】
種をつけた網材（海苔網）８を一定の時間空気中（海の上）に出して乾燥させる（干出）。この干出は雑藻を取り除く、海苔の芽を強くする、単胞子を多く出すなどのために行うものである。よく干出された海苔芽は健全な種網となる（育苗）。
【００４７】
このようにして育苗した青海苔を育成する。育成には、浅い海に支柱を建てて網を張る支柱式栽培法と呼ばれる方法と、海の深いところに浮きと重りとでロープの筏を作り、その中に網を張る浮き流し式栽培法と呼ばれる方法などを用いることができる。
【００４８】
実験によると、青海苔９ｂを付着させた網材８上でアサリの稚貝１０を養殖すると稚貝１０が逃げないことが確認できた。アサリの浮遊幼生は植物プランクトンを餌にし、稚貝・成貝は珪藻類・デトリタス（有機懸濁物）等を餌としている。このため、海苔養殖網や海苔の葉体に付着する珪藻類はアサリの餌になるので、豊富な餌によってアサリの稚貝が逃げないと推定される。あるいは、海苔網にアサリの餌となるプランクトンが集まりアサリの浮遊幼生が逃げないと考えられる。
【００４９】
また、網材８の目を青海苔９ｂで塞ぐことによってアサリの卵や浮遊幼生、あるいは稚貝１０が流されにくく、アサリにとって住みやすい環境になる。しかも、アサリの産卵期に卵や浮遊幼生を捕獲した後は、育成網部２上を捕獲・保護網部３で覆った状態で固定するので、アサリの卵や浮遊幼生、あるいは稚貝１０が波で浮遊して流されるのを防止できる。
【００５０】
上記養殖装置１は、例えば、成貝のいる海底２０上に設置、あるいは成貝を蒔いた上に設置する。そして、成貝が産卵する期間だけ捕獲・保護網部３を上下動させ、浮遊する卵や幼生を捕獲する。この際、捕獲・保護網部３の他端側（浮力体６側）が潮の満ち干に応じて上下動し、育成網部２上を覆ったり開放したりすることで、海中を浮遊する卵や幼生を効率良く捕獲できる。産卵の終了後は、育成網部２上を捕獲・保護網部３で覆った状態で固定し、捕獲した卵や浮遊幼生を捕獲・保護網部３と育成網部２との間に挟み込んだ状態を維持することで保護しつつ育成する。
【００５１】
その後、卵が孵化して浮遊幼生となり、成長すると稚貝になって海底２０に着底する。稚貝が着底した海底２０上には、育成網部２と捕獲・保護網部３が重なった状態で固定されているので、水鳥などから保護しつつ、稚貝に青海苔の栄養（例えば、青海苔の葉体に付着する珪藻類）を与えて、網の外側への移動を阻止できる。これによって、稚貝を棲息環境に近い条件及び状態で低コストに育成でき、養殖中のアサリが逃げ出したり、海面または水面の波により流出したりするのを防止できる。尚、アサリが着底してからの移動距離は比較的小さく数ｍ程度であるので、アサリは養殖装置１の近傍で成貝まで成長する。この時も、稚貝に青海苔の栄養（例えば、青海苔の葉体に付着する珪藻類）を与えて、網の外側への移動を有効に阻止することができる。
【００５２】
図７乃至図１０はそれぞれ、本発明の実施の形態に係る貝類の養殖装置の変形例を示すもので、図７は潮が満ちた状態を示す斜視図、図８は図７の側面図、図９は潮が引いた状態を示す斜視図、図１０は図９の側面図である。この養殖装置１は、図１乃至図４に示した養殖装置を大型化したものである。基本的な構成は、図１乃至図４と同様であるので、対応する部分に同じ符号を付してその詳細な説明は省略する。
【００５３】
すなわち、上述した実施の形態では、上記育成網部２と上記捕獲・保護網部３とを帯状の三枚の網（漁網など）８−１，８−２，８−３を連結して網材８を形成したのに対し、本変形例では五枚の網（漁網など）８−１〜８−５を連結して網材８を形成している。そして、この網材８を折り返して一方を上記育成網部２、他方を上記捕獲・保護網部３に用いている。また、網材８の大型化に対応するために、支持棒１４−１，１４−２，１４−３，…と杭１６−１，１６−２，１６−３，…との間に、支持部材として支持棒１８−１，１８−２，１８−３，…と環状部材１９−１，１９−２，１９−３，…を付加している。
【００５４】
図７乃至図１０に示した養殖装置によれば、養殖装置１を大型化して生産性を高めることができる。また、大型化により図１乃至図４に示した養殖装置に比べて水深の深い位置に設置できる。
【００５５】
図１１乃至図１４は、それぞれ本発明の実施の形態に係る貝類の養殖装置の他の変形例を示すもので、図１１は潮が満ちた状態を示す斜視図、図１２は図１１の側面図、図１３は潮が引いた状態を示す斜視図、図１４は図１３の側面図である。この養殖装置１は、図７乃至図１０に示した養殖装置を更に大型化したものである。基本的な構成は、図７乃至図１０と同様であるので、対応する部分に同じ符号を付してその詳細な説明は省略する。
【００５６】
すなわち、上述した変形例では、上記育成網部２と上記捕獲・保護網部３とを帯状の五枚の網（漁網など）８−１〜８−５を連結して網材８を形成したのに対し、本例では九枚の網（漁網など）８−１〜８−９を連結して網材８を形成している。そして、この網材８を折り返して一方を上記育成網部２、他方を上記捕獲・保護網部３に用いている。また、網材８の大型化に対応するために、支持部材４と５の間に中間支持部材４ａ，４ｂ、支持部材５と固定部材７の間に中間支持部材５ａ，５ｂをそれぞれ設けている。中間支持部材４ａ，４ｂ、及び中間支持部材５ａ，５ｂはそれぞれ、支持棒と環状部材で構成する。
【００５７】
図１１乃至図１４に示した養殖装置によれば、養殖装置１をより大型化して生産性を高めることができる。また、大型化により図１１乃至図１４に示した養殖装置に比べて水深の深い位置に設置できる。更に、網材８の個々の環状部材は、浮力体としての機能を備えており、フロート（１７−１，１７−２，１７−３，…）に近い網材８の環状部材は比較的に大きく形成され、フロート（１７−１，１７−２，１７−３，…）から離れるのに従い、網材８の環状部材は小さくなるように形成されている。
【００５８】
図１５乃至図１７は、それぞれ本発明の実施の形態に係る貝類の養殖装置の別の変形例を示すもので、図１５は潮が満ちた状態を示す斜視図、図１６は図１５の育成網部近傍の拡大斜視図、図１７は図１６の育成網部近傍の囲い網部を抽出して示す斜視図である。
【００５９】
本例は、上記図１１乃至図１４に示した養殖装置において、育成網部２の少なくとも両側面に囲い網部２３を配置するものである。図１５乃至図１７では、囲い網部２３でアサリの卵や浮遊幼生を取り込む部分（浮力体６側）を除く育成網部２の三方向を囲んでいる。
【００６０】
上記のような構成によれば、囲い網部２３を育成網部２の少なくとも両側面に設けることによって、アサリなどの貝類の卵や浮遊幼生の捕獲を確実にできると共に、囲い網部２３の外側へのアサリの移動を阻止できる。この囲い網部２３にも青海苔９ｂを付着させることで、目の粗い網であっても稚貝が逃げたり流されたりし難くできる。また、囲い網部２３により、育成網部２の三方向を囲んでいる場合には、アサリなどの貝類の卵や浮遊幼生の捕獲を確実にできると共に、囲い網部２３の外側へのアサリの移動を確実に阻止できる。この際、囲い網部２３の上下方向の高さ幅は、海底２０からおよそ５０ｃｍにすると良い。
【００６１】
図１８は、図１乃至図４に示した貝類の養殖装置を砂浜や干潟、浅瀬などに複数設置する際の好適な配置例を示す斜視図である。複数の養殖装置１−１，１−２，１−３，…を海流２２（矢印で示す）に沿って配置しており、各々の養殖装置１−１，１−２，１−３，…の網材の折り返し部が海流２２の下流側になるように配置している。
【００６２】
個々の養殖装置１−１，１−２，１−３，…の基本的な構成は、上述した実施の形態と同様であるので、詳細な説明は省略する。尚、図１８では、図１乃至図４に示した貝類の養殖装置を配置する例を示しているが、図７乃至図１７に示した変形例のような貝類の養殖装置を配置しても良いのは勿論である。
【００６３】
このように養殖装置１−１，１−２，１−３，…を配置すれば、海流２２が南側から流れている際に、たとえアサリの卵や浮遊幼生、あるいは稚貝が流されても下流側の養殖装置によって順次受け止めることができるので、卵や浮遊幼生、あるいは稚貝が流されやすい南風に対応できる。
【００６４】
上記のような構成の貝類の養殖装置によれば、砂浜や干潟、浅瀬などのアサリの棲息環境で育成できる。また、貝類の産卵期に浮力体により海面または水面の上下動に応じて捕獲・保護網部３の一端側を上下動させて浮遊する卵や幼生を捕獲し、捕獲後は育成網部２上を捕獲・保護網部３で覆うように重ねて固定することで、波で貝類が流されるのを防止しつつ貝類を自由に活動させることができる。更に、育成網部２と捕獲・保護網部３に青海苔９ｂを付着させることで、目の粗い網であっても稚貝が逃げたり流されたりし難くでき、この青海苔９ｂの葉体に付着する珪藻類を餌にすることで、稚貝が逃げ難く成長を促進することもできる。
【００６５】
また、複数の網を連結して一体化した網材８を折り返して一方を育成網部２、他方を捕獲・保護網部３に用いることで、漁網などの市販の規格品を流用することができ、且つ網材８の構造を簡単化して低コスト化できる。更に、育成網部２及び捕獲・保護網部３を、重ねた複数の網材８で構成し、この重ねた複数の網材８を折り返して一方を育成網部、他方を捕獲・保護網部に用いることで、目の粗い漁網などの市販の規格品を用いることができ、且つ網材８の構造を簡単化してより低コスト化できる。
【００６６】
加えて、第１の支持部材４を、海底または水底に所定の間隔で立設された複数の第１の支持棒１１−１，１１−２，１１−３，…と、前記捕獲・保護網部３の他端側に装着され、前記第１の支持棒１１−１，１１−２，１１−３，…がそれぞれ挿入される複数の第１の環状部材１２−１，１２−２，１２−３，…と、前記複数の第１の支持棒１１−１，１１−２，１１−３，…を所定の角度でそれぞれ支える張り綱１３−１ａ，１３−２ａ，１３−３ａ，…とで構成し、第１の支持棒１１−１，１１−２，１１−３，…を捕獲・保護網部３の一端側に傾斜させることで、捕獲・保護網部３の他端側の上下動時にこの捕獲・保護網部３の張力がほぼ等しくなり、捕獲・保護網部３の弛みや張りすぎによる変形を抑制できる。
【００６７】
更に、浮力体６は、潮の満ち干に応じて上下動し、潮が満ちるときに捕獲・保護網部３の他端側を育成網部２から離すことで、卵や浮遊幼生を効率良く捕獲することができ、潮が引くときに育成網部２上を捕獲・保護網部３で覆うように重ねて、捕獲した卵や浮遊幼生が波で流されるのを防止できる。
【００６８】
この他、第２の支持部材５で育成網部２の他端側と捕獲・保護網部３の中間点とを支持することで、養殖装置１の強度を向上できる。
【００６９】
更に、育成網部２の少なくとも両側面に囲い網部２３を設けたことによって、アサリなどの貝類の卵や浮遊幼生の捕獲を確実にできると共に、アサリの囲い網部２３の外側への移動を阻止できる。
【００７０】
従って、貝類の卵や浮遊幼生を捕獲して棲息環境に近い条件及び状態で低コストに育成でき、且つ養殖中の貝類が逃げ出したり、海面または水面の波により流出したりするのを防止できる。
【００７１】
尚、本発明は、上述した実施の形態及び変形例に限定されるものではなく、種々変形して実施可能である事は勿論である。例えば、アサリを例に取って説明したが、他の貝類にも同様に適用できる。また、捕獲・保護網部が育成網部より大きい例を示したが、育成網部の面積と捕獲・保護網部の面積をほぼ等しくしても良い。更に、三枚と五枚の網を連結して網材を形成する場合を例に取って説明したが、これらに限られるものではないことは言うまでもない。支持棒や環状部材の数や配置も網材のサイズに応じて適宜選択することができる。
【符号の説明】
【００７２】
１，１−１，１−２，１−３，…養殖装置
２    育成網部
２ａ    網紐
３    捕獲・保護網部
４    支持部材
４ａ，４ｂ    中間支持部材
５    支持部材
５ａ，５ｂ    中間支持部材
６    浮力体
７    固定部材
８，８ａ，８ｂ，８ｃ    網材
８−１，８−２，８−３，８−１ａ，８−２ａ，８−１ｂ，８−２ｂ，８−１ｃ，８−２ｃ    網
９ａ    貝殻糸状体
９ｂ    青海苔
１０    稚貝
１１−１，１１−２，１１−３，…    支持棒
１２−１，１２−２，１２−３，…    環状部材
１３−１ａ，１３−２ａ，１３−３ａ，…    張り綱
１３−１ｂ，１３−２ｂ，１３−３ｂ，…    杭
１４−１，１４−２，１４−３，…    支持棒
１５−１，１５−２，１５−３，…    環状部材
１６−１，１６−２，１６−３，…    杭
１７−１，１７−２，１７−３，…    フロート
１８−１，１８−２，１８−３，…    支持棒
１９−１，１９−２，１９−３，…    環状部材
２０    海底
２１    海面（または水面）
２２    海流
２３    囲い網部
【図１】
2013158318.tif 000003
【図２】
2013158318.tif 000004
【図３】
2013158318.tif 000005
【図４】
2013158318.tif 000006
【図５】
2013158318.tif 000007
【図６】
2013158318.tif 000008
【図７】
2013158318.tif 000009
【図８】
2013158318.tif 000010
【図９】
2013158318.tif 000011
【図１０】
2013158318.tif 000012
【図１１】
2013158318.tif 000013
【図１２】
2013158318.tif 000014
【図１３】
2013158318.tif 000015
【図１４】
2013158318.tif 000016
【図１５】
2013158318.tif 000017
【図１６】
2013158318.tif 000018
【図１７】
2013158318.tif 000019
【図１８】
2013158318.tif 000020